(57)【要約】【課題】カメラ本体の厚さを薄型化すると共に、漏光を防止し、かつ、機械的強度を高めた沈胴型カメラのレンズ鏡胴を提供すること。【解決手段】カメラ本体に設けた固定枠１１にヘリコイドねじ１１ａ、１２ａにより螺合させたカム枠１２と、このカム枠１２とヘリコイドねじ２１、２２により螺合させ、カム枠１２の回転下に光軸１６方向に移動させるレンズ保持枠１３とを備え、上記ヘリコイドねじ２１、２２には、レンズ保持枠１３を収納位置と撮影可能位置との間で移動させるリ−ドの大きいねじ部と、レンズ保持枠１３を撮影範囲で移動させるリ−ドの小さいねじ部とを設け、レンズ保持枠１３を撮影可能位置に繰り出すためのカム枠１２の回転角を減少させることによって、固定枠１１に対するカム枠１２の移動量を少なくしてカメラ本体の厚さを薄型化した構成としてある。【選択図】　　　　図１
2004053820.tif 000002
【特許請求の範囲】
【請求項１】
カメラ本体内に設けた固定枠にヘリコイドねじ螺合させたカム枠と、このカム枠とヘリコイドねじ螺合させ、このカム枠の回転下に光軸方向に移動させるレンズ保持枠とを備え、カム枠を回転駆動させて当該カム枠とレンズ保持枠とをカメラ本体の収納位置に収納させる構成の沈胴型カメラのレンズ鏡胴において、
カム枠とレンズ保持枠とをリ−ドの大きいねじ部とリ−ドの小さいねじ部とを有するヘリコイドねじによって螺合し、
収納位置と撮影可能位置の間はリ−ドの大きいねじ部で、撮影範囲ではリ−ドの小さいねじ部でレンズ保持枠を移動させるヘリコイドねじ機構を備えて構成したことを特徴とする沈胴型カメラのレンズ鏡胴。
【請求項２】
請求項１に記載したレンズ鏡胴において、
カム枠には、リ−ドの大きいねじ凹条溝とリ−ドの小さいねじ凹条溝とを一連に形成した雌ヘリコイドねじを設け、
レンズ保持枠には、上記したリ−ドの大きいねじ凹条溝に螺合させる摺動部と、リ−ドの小さいねじ凹条溝に螺合させる他の摺動部とを形成した雄ヘリコイドねじを設けたことを特徴とする沈胴型カメラのレンズ鏡胴。
【請求項３】
請求項２に記載したレンズ鏡胴において、
リ−ドの大きいねじ凹条溝とリ−ドの小さいねじ凹条溝とから形成した雌ヘリコイドねじをカム枠周囲の３等分位置各々に設けると共に、これら雌ヘリコイドねじ各々の間には、リ−ドの小さい上記ねじ凹条溝と同様のリ−ドの他の雌ヘリコイドねじを設け、
さらに、レンズ支持枠周囲の３等分位置各々には、上記したリ−ドの大きいねじ凹条溝とリ−ドの小さいねじ凹条溝と螺合させる摺動部を有する雄ヘリコイドねじを設けると共に、これら雄ヘリコイドねじの間には上記した他の雌ヘリコイドねじに螺合させる雄ヘリコイドねじを設けて構成したことを特徴とする沈胴型カメラのレンズ鏡胴。
【発明の詳細な説明】
【０００１】
【発明の属する技術分野】
この発明は、鏡胴枠をねじ送りするヘリコイドねじ機構に特徴を有する沈胴型カメラのレンズ鏡胴に関する。
【０００２】
【従来の技術】
図７は従来例として示した沈胴型カメラのズ−ムレンズ鏡胴の簡略断面図である。
このズ−ムレンズ鏡胴は、固定枠１１、カム枠１２、レンズ保持枠１３の３層構造となっており、また、レンズ保持枠１３に取付けたレンズ支持枠１４に前レンズ群Ｌ１が支持され、カム枠１２によってカム送りされるレンズ支持枠１５に後レンズ群Ｌ２が支持させてある。
【０００３】
固定枠１１はカメラ本体内に取付けて固定されるもので、この固定枠１１は円筒状に形成され、その内面にはヘリコイドねじ（雌）１１ａと光軸１６方向に直線的に形成されたキ−溝１１ｂとが設けられている。
【０００４】
カム枠１２はレンズ群Ｌ１、Ｌ２を共に変位させるもので、その後側外周部にはヘリコイドねじ（雄）１２ａが設けられている。
このヘリコイドねじ１２ａは固定枠１１のヘリコイドねじ１１ａに螺合してあり、カム枠１２がこれらヘリコイドねじ１１ａ、１２ａにしたがって光軸１６方向に移動される。
【０００５】
また、上記ヘリコイドねじ１２ａが形成されたカム枠１２の後側外周部には、ヘリコイドねじ１２ａと共に平歯車が形成され、この平歯車がモ−タ駆動される連動歯車に噛合している。
【０００６】
さらに、カム枠１２の内周面には、ヘリコイドねじ（雌）１２ｃと共にカム溝１２ｄが設けられている。
このヘリコイドねじ１２ｃにはレンズ保持枠１３の後側外周部に設けられたヘリコイドねじ（雄）１３ａが螺合し、また、カム溝１２ｄにはレンズ支持枠１５の連動ピン１５ａが突入している。
【０００７】
一方、カム枠１２の後端には、ガイド枠１７が設けられている。
このガイド枠１７は、カム枠１２の回転を許容するように取付けられており、また、その外周部に設けられたキ−１７ａが固定枠１１のキ−溝１１ｂに突入している。
つまり、ガイド枠１７がこのキ−１７ａにより非回動のままカム枠１２と一緒に光軸１６方向に移動するようになっている。
【０００８】
さらに、上記したガイド枠１７には、光軸１６方向に延設させたガイド腕１７ｂを設けて、連動ピン１５ａがこのガイド腕１７ｂに形成された直進長孔１７ｃとレンズ保持枠１３の長溝１３ｂを通ってカム枠１２のカム溝１２ｄに突入している。
すなわち、連動ピン１５ａが直進長孔１７ｃに案内されて進むことによってレンズ支持枠１５を非回動で移動させる。
【０００９】
また、ガイド腕１７ｂがシャッタユニット１８の孔部１９に出入自在に挿入され、このガイド腕１７ｂによりレンズ保持枠１３を非回動に保持している。
なお、シャッタユニット１８はレンズ支持枠１４と共にレンズ保持枠１３に取付けられている。
【００１０】
上記したズ−ムレンズ鏡胴は、図示する収納状態でメインスイッチをＯＮさせると、カム枠１２がモ−タ駆動されて回転し、このカム枠１２がヘリコイドねじ１１ａ、１２ａによって繰り出され、また、レンズ保持枠１３がカム枠１２と共に移動すると共に、カム枠１２の回転によってヘリコイドねじ１２ｃ、１３ａによりねじ送りされて繰り出され、レンズ鏡胴が撮影可能位置に移動する。
【００１１】
なお、収納位置から撮影可能位置に繰り出されるときは、レンズ支持枠１５がカム枠１２のカム溝１２ｄによって駆動されて移動するが、その移動は僅かな距離となっている。
【００１２】
撮影可能位置でズ−ミング釦を操作すると、カム枠１２がモ−タ駆動され、カム枠１２の回転と移動により、レンズ保持枠１３とレンズ支持枠１５が移動してズ−ミングが行なわれる。
なお、ズ−ミングした位置でシャッタ釦を操作すれば、フォ−カシングした後にシャッタレリ−ズとなる。
【００１３】
レンズ鏡胴が撮影範囲位置となっているときメインスイッチをＯＦＦさせると、カム枠１２が繰り出しとは反対方向にモ−タ駆動され、レンズ鏡胴が収納位置に後退動する。
【００１４】
【発明が解決しようとする課題】
上記した従来のレンズ鏡胴は、カメラ本体に収納させるために、カメラ本体の前後方向の幅（カメラの厚さ）が大きくなると言う問題がある。
【００１５】
すなわち、このレンズ鏡胴は、カム枠１２のヘリコイドねじ１２ｃが直線性の螺旋溝からなる凹条溝によって形成してあり、図８（Ａ）に示すように、カム枠１２の内面周囲の３等分位置に設けられている。
そして、このヘリコイドねじ１２ｃにレンズ保持枠１３のヘリコイドねじ１３ａが螺合している。
【００１６】
なお、図８（Ａ）はカム枠１２の内面に設けたヘリコイドねじ１２ｃを示す展開図、図８（Ｂ）はレンズ保持枠１３のヘリコイドねじ１３ａを示す展開図である。
このように構成されたヘリコイドねじ機構は、撮影範囲でのレンズ移動精度を高めるために小さいリ−ドのヘリコイドねじとなっている。
この結果、小さいリ−ドのヘリコイドねじによりレンズ鏡胴を撮影可能位置まで繰り出すためにカム枠１２の回転角が大きくなる。
したがって、カム枠１２がヘリコイド螺合された固定枠１１が長くなるため、カメラ本体の前後方向の幅が大きくなる。
【００１７】
この問題を解決するため、カム枠１２とレンズ保持枠１３のリ−ドの変更をカム係合を使用して行なうようにしたものである。
【００１８】
しかし、このようにリ−ド変更する構成のものは、外部からの衝撃などによって破壊されることがあること、また、漏光問題が発生することがあった。
【００１９】
本発明は上記した実情にかんがみ、沈胴型カメラであってもカメラの厚さを可能なるかぎり薄型化すること、また、耐久性があり確実に漏光を防ぐことができるカメラのレンズ鏡胴を提供することを目的とする。
【００２０】
【課題を解決するための手段】
上記した目的を達成するため、本発明では、第１の発明として、カメラ本体内に設けた固定枠にヘリコイドねじ螺合させたカム枠と、このカム枠とヘリコイドねじ螺合させ、このカム枠の回転下に光軸方向に移動させるレンズ保持枠とを備え、カム枠を回転駆動させて当該カム枠とレンズ保持枠とをカメラ本体の収納位置に収納させる構成の沈胴型カメラのレンズ鏡胴において、カム枠とレンズ保持枠とをリ−ドの大きいねじ部とリ−ドの小さいねじ部とを有するヘリコイドねじによって螺合し、収納位置と撮影可能位置の間はリ−ドの大きいねじ部で、撮影範囲ではリ−ドの小さいねじ部でレンズ保持枠を移動させるヘリコイドねじ機構を備えて構成したことを特徴とする沈胴型カメラのレンズ鏡胴を提案する。
【００２１】
第２の発明は、上記したレンズ鏡胴において、カム枠には、リ−ドの大きいねじ凹条溝とリ−ドの小さいねじ凹条溝とを一連に形成した雌ヘリコイドねじを設け、レンズ保持枠には、上記したリ−ドの大きいねじ凹条溝に螺合させる摺動部と、リ−ドの小さいねじ凹条溝に螺合させる他の摺動部とを形成した雄ヘリコイドねじを設けたことを特徴とする沈胴型カメラのレンズ鏡胴を提案する。
【００２２】
この第１、第２の発明は、収納位置と撮影可能位置の間のレンズ鏡胴の移動をリ−ドの大きいねじ部のヘリコイドねじによって行なうので、レンズ鏡胴を撮影可能位置まで繰り出すためのカム枠の回転角が少なくなり、この結果、カメラを薄型化することができる。
【００２３】
第３の発明は、上記した第２発明のレンズ鏡胴において、リ−ドの大きいねじ凹条溝とリ−ドの小さいねじ凹条溝とから形成した雌ヘリコイドねじをカム枠周囲の３等分位置各々に設けると共に、これら雌ヘリコイドねじ各々の間には、リ−ドの小さい上記ねじ凹条溝と同様のリ−ドの他の雌ヘリコイドねじを設け、さらに、レンズ支持枠周囲の３等分位置各々には、上記したリ−ドの大きいねじ凹条溝とリ−ドの小さいねじ凹条溝と螺合させる摺動部を有する雄ヘリコイドねじを設けると共に、これら雄ヘリコイドねじの間には上記した他の雌ヘリコイドねじに螺合させる雄ヘリコイドねじを設けて構成したことを特徴とする沈胴型カメラのレンズ鏡胴を提案する。
【００２４】
この第３の発明は、リ−ドの大きいねじ部とリ−ドの小さいねじ部を有するヘリコイドねじを３等分位置に設け、これら各雌ヘリコイドねじの間に他のヘリコイドねじを設けたヘリコイドねじ機構となっているので、機械的強度が高く、また、ヘリコイドねじ機構部から入射する漏光を防止することができる。
【００２５】
【発明の実施の形態】
次に、本発明を実施した沈胴型カメラの実施形態について図面に沿って説明する。
図１は沈胴型カメラに備えるズ−ムレンズ鏡胴の簡略断面図、図２は同ズ−ムレンズ鏡胴に備えるレンズ保持枠の斜視図である。
【００２６】
なお、このズ−ムレンズ鏡胴は、カム枠１２の内面に設けた雌ヘリコイドねじ２１とレンズ保持枠１３に設けた雄ヘリコイドねじ２２とに特徴があり、その他の構成は図８に示した従来例のズ−ムレンズ鏡胴と同様の構成となっている。
【００２７】
本実施形態のズ−ムレンズ鏡胴は、カム枠１２の内面に図３（Ａ）に示す雌ヘリコイドねじ２１とカム溝２３とが形成してある。
なお、図３（Ａ）はカム枠１２の内面を示す展開図である。
【００２８】
図示するように、雌ヘリコイドねじ２１は、カム枠１２の内周面方向の３等分位置に設けた３つのヘリコイドねじとなっており、各々のヘリコイドねじ２１が変曲点Ｐを有するねじ凹条溝２１ａと、変曲点Ｐを有しない複数の凹条溝２１ｂとより形成してある。
【００２９】
変曲点Ｐをもったねじ凹条溝２１ａは、リ−ドの大きいねじ部ａ１と、リ−ドの小さいねじ部ａ２とを一連に形成したものとなっている。
すなわち、ねじ部ａ２は、従来例のカム枠１２に設けられている雌ヘリコイドねじ１２ｃと同じリ−ドのねじ部としてあるが、ねじ部ａ１についてはそのねじ部ａ２に比べて大きいリ−ドとしたねじ凹条溝とし、カム枠１２の後側内面に形成してある。
【００３０】
また、変曲点Ｐをもたない複数のねじ凹条溝２１ｂは、上記したねじ部ａ２と同じリ−ドの凹条溝としてある。
なお、このねじ凹条溝２１ｂの数は適宜増減することができ、したがって、１つ以上の凹条溝とすればよい。
【００３１】
一方、レンズ保持枠１３の外周面後部には、カム枠１２の雌ヘリコイドねじ２１に螺合させる雄ヘリコイドねじ２２が設けてある。
この雄ヘリコイドねじ２２は、図３（Ｂ）に示すように、形状の異なるねじ凸部２２ａとねじ凸部２２ｂとより形成してあり、ねじ凸部２２ａが上記した雌ヘリコイドねじ２１のねじ凹条溝２１ａに、ねじ凸部２２ｂがそのねじ凹条溝２１ｂに各々螺合させるようにしてある。
【００３２】
ねじ凸部２２ａには、図４に拡大して示した如く、ねじ凹条溝２１ａのねじ部ａ１を摺動する摺動部Ｘと、そのねじ部２２ｂを摺動する摺動部Ｙとが形成してある。
また、ねじ凸部２２ｂには、ねじ凹条溝２１ｂを摺動する摺動部Ｚが形成してある。
【００３３】
上記のように構成したヘリコイドねじ機構は、レンズ保持枠１３がカム枠１２の回転によって図５、図６に示すようにねじ送りされる。
すなわち、ねじ凸部２２ａがねじ凹条溝２１ａのねじ部ａ１に螺合する場合は、図５より分かるようにその摺動部Ｘがねじ送りされ、この結果、リ−ドの大きいヘリコイドねじによりレンズ保持枠１３が移動される。
【００３４】
レンズ保持枠１３の移動が進み、ねじ凸部２２ａが変曲点Ｐを通過しねじ凹条溝２１ａのねじ部ａ２に螺合する場合は、図６に示した通り、その摺動部Ｙがねじ送りされ、この結果、リ−ドの小さいヘリコイドねじよりレンズ保持枠１３が移動される。
なお、この場合、ねじ凸部２２ｂがねじ凹条溝２１ｂによりねじ送りされるようになる。
【００３５】
したがって、本実施形態の沈胴型カメラでは、リ−ドの大きいねじ部ａ１の雌ヘリコイド部によってレンズ保持枠１３を移動させることにより、このレンズ保持枠１３が収納位置から撮影可能位置へ、また、この逆に撮影可能位置から収納位置へ移動する構成としてある。
【００３６】
また、リ−ドの小さいねじ部ａ２の雌ヘリコイド部によってレンズ保持枠１３を移動させ、このレンズ保持枠１３が従来例と同様のズ−ミングで移動するようになっている。
【００３７】
したがって、上記のヘリコイドねじ機構を備えるズ−ムレンズ鏡胴は、カム枠１２の少ない回転角でカム枠１２とレンズ保持枠１３とを収納位置から撮影可能位置に繰り出し、また、撮影可能位置から収納位置に繰り入れることができるので、カム枠１２の光軸方向の移動量が少なくなる。
【００３８】
つまり、カム枠１２のねじ送り量を少なくすることができることから、このカム枠１２とヘリコイド螺合させた固定枠１１の長さを短寸化することができると共に、カム枠１２とレンズ保持枠１３の突出量を少なくすることができ、これにより、カメラ本体の前後方向の幅（カメラの厚さ）を薄型化することができる。
【００３９】
また、上記したヘリコイド機構は、雌ヘリコイドねじ２１が変曲点Ｐを有する各ねじ凹条溝２１ａとその間に変曲点Ｐをもたないねじ凹条溝２１ｂを設け、これらねじ凹条溝にレンズ保持枠１３の雄ヘリコイドねじ２２（ねじ凸部２２ａ、２２ｂ）を螺合させた構成としたことから、機械的な強度が高く、その上、カム枠１２とレンズ保持枠１３の間から入射する漏光を防止することができる。
【００４０】
【発明の効果】
上記した通り、本発明のレンズ鏡胴は、カム枠の少ない回転角の回転で収納位置から撮影可能位置に繰り出すことができる構成としたことから、カメラ本体を薄型化してカメラの小型化を計る上に有利なレンズ鏡胴となる。
【図面の簡単な説明】
【図１】本発明を一実施形態である沈胴型カメラのズ−ムレンズ鏡胴を示す簡略断面図である。
【図２】上記したズ−ムレンズ鏡胴に備えたレンズ保持枠の斜視図である。
【図３】図３（Ａ）は上記ズ−ムレンズ鏡胴に備えたカム枠について、その内面に設けた雌ヘリコイドねじを示した展開図である。
図３（Ｂ）は上記ズ−ムレンズ鏡胴に備えたレンズ保持枠の雄ヘリコイドねじを示した展開図である。
【図４】上記したレンズ保持枠の雄ヘリコイドねじを示す部分的な拡大図である。
【図５】リ−ドの大きいねじ送り動作を示すヘリコイドねじ機構の説明図である。
【図６】リ−ドの小さいねじ送り動作を示すヘリコイドねじ機構の説明図である。
【図７】従来例として示した沈胴型カメラのズ−ムレンズ鏡胴を示す簡略断面図である。
【図８】図８（Ａ）は従来例のレンズ鏡胴に備えられたカム枠の雌ヘリコイドねじを示す展開図である。
図８（Ｂ）は従来例のレンズ鏡胴に備えられたレンズ保持枠の雄ヘリコイドねじを示す展開図である。
【符号の説明】
１１　固定枠
１１ａ　ヘリコイドねじ
１２　カム枠
１３　レンズ保持枠
１４　レンズ支持枠
１５　レンズ支持枠
１６　光軸
１７　ガイド枠
２１　雌ヘリコイドねじ
２１ａ　変曲点を有するねじ凹条溝
２１ｂ　変曲点を有しないねじ凹条溝
２２　雄ヘリコイドねじ
２２ａ　ねじ凸部
２２ｂ　ねじ凸部
【図１】
2004053820.tif 000003
【図２】
2004053820.tif 000004
【図３】
2004053820.tif 000005
【図４】
2004053820.tif 000006
【図５】
2004053820.tif 000007
【図６】
2004053820.tif 000008
【図７】
2004053820.tif 000009
【図８】
2004053820.tif 000010